(57)【要約】      （修正有） 【課題】コートの前身頃半体の襟回りの紐を紐止め具で長短調整して襟回りを伸縮して普段着又は子守用の抱っこ着に変換できるようにする。【解決手段】ファスナー３等着脱具を備えて開閉可能とされた前身頃２を有するコートであって、前記前身頃半体２ａ、２ｂは、着用者が身体の前側で乳幼児を抱いた状態で覆いうる身幅を有し、該前身頃半体の襟回り５には、打ち合わせ面近くに設けた開口８から肩山７までに紐９を通すための筒状部１０を設け、該筒状部１０にはその長さより長く、肩山付近に基端を取着して自由端を前記開口より露出させる紐９を備え、該紐９の露出部には、紐に対して移動可能に挿通するとともに任意の位置で紐を拘持しうる紐止め具１１を備えた子守用コートである。【選択図】図１
0003104905.tif 000002
【実用新案登録請求の範囲】
【請求項１】
中心部において左右の前身頃半体に分離可能とされ、該左右の前身頃半体の打ち合わせ面にファスナー等着脱具を備えて開閉可能とされた前身頃を有するコートであって、
前記前身頃半体は、着用者が身体の前側で乳幼児を抱いた状態で覆いうる身幅を有し、
該前身頃半体の襟回りには、打ち合わせ面近くに設けた開口から肩山までに紐を通すための筒状部を設け、
該筒状部にはその長さより長く、肩山付近に基端を取着して自由端を前記開口より露出させる紐を備え、
該紐の露出部には、紐に対して移動可能に挿通するとともに任意の位置で紐を拘持しうる紐止め具を備え、
該紐止め具を前記筒状体に備えた紐に対して移動して襟回りを伸縮して普段着又は抱っこ着に変換可能としたことを特徴とする子守用コート。
【請求項２】
前記前身頃の襟回りにフードを設けたことを特徴とする請求項１記載の子守用コート。
【請求項３】
前記前身頃の裾部に設けた筒状部と、
該筒状部に挿通して両端を前部開口より露出させた紐と、
該紐の露出部には、紐に対して移動可能に挿通するとともに任意の位置で紐を拘持しうる紐止め具とを備え、
該紐止め具を前記裾部に備えた紐に対して移動して裾回りを伸縮可能とした請求項１または２に記載の子守用コート。
【考案の詳細な説明】
【技術分野】
【０００１】
この考案は、普段着と前抱き（抱っこ）状態の乳幼児に被せて着用しうる抱っこ着とに変換しうる子守用コートに関する。
【背景技術】
【０００２】
従来、乳幼児を前抱き（抱っこ）、または背負い（おんぶ）する際に乳幼児に被せて着用する子守用コート（通称、ママコートという）がある。
従来のママコートとして、コート本体の後身頃が中心部において左右の後身頃半体に分離可能とされるとともに前身頃が中心部において左右の前身頃半体に分離可能とされ、分離した左右の後身頃半体または前身頃半体の間に被覆用補助布を装着することにより後身頃の身幅または前身頃の身幅を拡大し、着用者が背負いまたは前抱きした乳幼児を覆って着用する子守用コートがある（特許文献１参照）。
【０００３】
【特許文献１】特開平１０−１３０９１４号公報
【考案の開示】
【考案が解決しようとする課題】
【０００４】
前記子守用コートは、コート本体とは別個に幅広の被覆用補助布を設ける必要があり、この被覆用補助布を両側の後身頃半体または前身頃半体のファスナーにそれぞれ合わせて着脱しなければならず、背負い、または抱っこ着とするとき、不便であり、また普段着として使用するときは被覆用補助布を外しておくので、置き忘れたり、なくしたりすることがあり不便であるという問題があった。
この考案は、前記した問題点を解決するようにしたもので、前身頃半体を着用者の前側で抱いた状態の乳幼児を覆いうる身幅とし、襟回りを長くとり、襟回りの紐に対する紐止め具を調整して襟回りを伸縮し普段着又は抱っこ着に変換可能とした子守用コートを提供することを目的とする。
【課題を解決するための手段】
【０００５】
この考案の請求項１の子守用コートは、中心部において左右の前身頃半体に分離可能とされ、該左右の前身頃半体の打ち合わせ面にファスナー等着脱具を備えて開閉可能とされた前身頃を有するコートであって、前記前身頃半体は、着用者が身体の前側で乳幼児を抱いた状態で覆いうる身幅を有し、該前身頃半体の襟回りには、打ち合わせ面近くに設けた開口から肩山までに紐を通すための筒状部を設け、該筒状部にはその長さより長く、肩山付近に基端を取着して自由端を前記開口より露出させる紐を備え、該紐の露出部には、紐に対して移動可能に挿通するとともに任意の位置で紐を拘持しうる紐止め具を備え、該紐止め具を前記筒状体に備えた紐に対して移動して襟回りを伸縮して普段着又は抱っこ着に変換可能としたことを特徴とする。
【０００６】
請求項２の考案は、請求項１において、前記前身頃の襟回りにフードを設けたことを特徴とする。
【０００７】
請求項３の考案は、請求項１または２において、前身頃の裾部に設けた筒状部と、該筒状部に挿通して両端を前端開口より露出させた紐と、該紐の露出部には、紐に対して移動可能に挿通するとともに任意の位置で紐を拘持しうる紐止め具とを備え、該紐止め具を前記裾部に備えた紐に対して移動して裾回りを伸縮可能としたことを特徴とする。
【０００８】
前記したこの考案の子守用コートの構成によれば、前身頃の左右の前身頃半体で着用者の前側に子守バンド等で抱っこした乳幼児を覆って着用するとき、襟回りに設けた筒状部の肩山付近に基端を取着した紐の自由端を開口より露出させ、該紐の露出部に対して紐止め具を移動可能とするとともに任意の位置で紐を拘持しうるように備えたので、この紐止め具を前記筒状体に備えた紐に対して移動して襟回りを伸縮して任意の位置で紐を拘持させて普段着又は抱っこ着に変換して着用できる。
【考案の効果】
【０００９】
この考案の子守用コートによれば、ファスナー等着脱具で開閉する前身頃の襟回りの紐に対して紐止め具を移動して任意の位置で拘持して襟回りを伸縮し簡単に普段着と抱っこ着に変換して使用することができて便利である。すなわち、普段着として着用するときは、紐止め具を移動して襟回りの紐を短くして前身頃の襟回りを絞って着用し、乳幼児を抱っこして着用する場合には、紐止め具を移動して襟回りの紐を長くして前身頃の襟回りを伸ばして抱っこした乳幼児を覆って着用できる。従って、１枚の子守用コートを子守用のみならず、普段着としても使用できるので便利である。このコートは妊婦時にも使用することができる。
【００１０】
この考案の子守用コートによれば、フードを前身頃の襟に設けることにより、前身頃の襟回りの紐に対して紐止め具を移動して任意の位置で拘持して前身頃半体とフードの襟回りを伸縮し簡単に普段着と抱っこ着に変換できる。
【００１１】
この考案の子守用コートによれば、前記前身頃の裾部に設けた筒状部の紐を紐止め具で長短調整して普段着の場合は裾を絞り、抱っこ着とする場合には、裾を緩めて前抱っこ状態で覆う前身頃に余裕を持たせて着用することができる。
【考案を実施するための最良の形態】
【００１２】
この考案の子守用コートの実施形態を図面に基づいて説明する。
図１はこの考案の子守用コートの正面図、図２は普段着状態の斜視図、図３は抱っこ着状態の斜視図、図４は普段着状態の前身頃半体の要部拡大斜視図、図５は抱っこ着状態の前身頃半体の要部拡大斜視図、図６は紐を拘持した状態の紐止め具の拡大断面図、図７は紐を自由とした状態の紐止め具の拡大断面図、図８は乳幼児を前抱き状態で着用した子守用コートの斜視図である。
【００１３】
図１ないし図５にこの考案の子守用コートで、フード付きの場合を示す。
１は中心部において左右の前身頃半体２ａ、２ｂに分離可能とされ、該左右の前身頃半体の打ち合わせ面にファスナー３等着脱具を備えて開閉可能とされた前身頃２を有し、かつ襟回り５にフード４が逢着されたコート（通称ママコートという）である。６はコートの腕部であり、７は肩山で、コートの一番高い部分で、前身頃２と後身頃１９との境目をなす部分（肩の縫い目部分）のことである。実施形態では、左右の前身頃半体の打ち合わせ面の着脱具としてファスナーを使用した場合を示したが、これに限られるものではなく、ボタン等でも良く、また、襟回りにフード４を逢着したコートの場合を示したが、これに限られるものではなく、フードがない襟付きのコート、或いはフードを取外しできるコートとしてもよい。
この考案の子守用コートは、前記前身頃半体２ａ、２ｂは、着用者Ａが身体の前側で乳幼児Ｂを子守バンド等で抱いた状態で覆いうる身幅を有し、該前身頃半体の襟回り５には、打ち合わせ面近くに設けた開口８から肩山７までに紐を通すための筒状部１０を設け、該筒状部１０にはその長さより長く、肩山７付近に基端を取着して自由端を前記開口より露出させる紐９を備え、該紐９の露出部には、紐に対して移動可能に挿通するとともに任意の位置で紐を拘持しうる紐止め具１１を備えたものである。
【００１４】
前身頃２の前身頃半体２ａ、２ｂは、着用者Ａが身体の前側で子守バンド（子守帯）等で乳幼児Ｂを抱いた状態で覆いうる身幅を有する。特に前抱き状態とした乳幼児Ｂに被せる位置である前身頃半体の上部の打ち合わせ面から側面までの身幅（肩幅、胸幅など）を広くして、前身頃半体の上部を広げて前抱き状態とした乳幼児Ｂに被せて着用できるようにする。幼児を抱いていないときは、この前身頃半体を狭めて着用者Ａの身体にフイットさせて着用できるようにする。前身頃半体２ａ、２ｂは幅広の肩幅、胸幅から裾部に向けて段々と幅を狭くして、着用者自身だけで着用するときにだぶつかないようにしてある。後身頃１９はほぼ着用者の身幅とするのが好ましい。
図５において、前身頃半体２ａ、２ｂの襟回り５の前端部５ａから肩山７までの長さＬは、前端部５ａをほぼ前抱き状態の乳幼児Ｂの頭部まで伸ばすことができる長さとして前身頃半体を前抱きの乳幼児Ｂに被せることができるようにする。普段着に変えるときは、図４に示すように紐止め具１１を紐９に対して押し込んで襟回り５を絞ると、襟回り５の前端部５ａから肩山７までの襟回り５の紐９の長さＬ1は短くなり、襟回りに皺が寄せられるとともに前身頃の身幅が狭められ着用者Ａにフイットさせる。
この襟回り５には裏面の前端部５ａから肩山７までに帯状の布を筒状に逢着し紐９を通すための筒状部１０を構成し、該筒状部１０の打ち合わせ面近くに開口８を設け、該筒状部より長くした紐９の基端を筒状部１０の肩山７側に逢着し、紐９の先端の自由端を前端の開口８より前面に露出させる。筒状部１０は襟回りの生地とともに伸縮可能である。開口８には輪状の口金が取り付けられている。
１１は該紐の露出部に対して移動可能に挿通するとともに任意の位置で紐を拘持しうる紐止め具であり、移動自由とした状態で紐に対して押し込み、又は引き出し、任意の位置で紐に拘持させる。この紐止め具１１は少なくとも開口８の径より大きくして開口内に入らないようにする。
【００１５】
図６および図７に紐止め具の一実施例を示す。
前記紐止め具１１は、樽型、楕円型の器体１２の長手方向のほぼ中央に直交して紐９を挿通する紐通し孔１３と、器体の長手方向には前記紐通し孔１３の軸線と直交する貫通孔１４が設けられ、該器体１２の貫通孔１４の一方に栓体１５が固定され、該栓体側に弾性部材１６、例えばばねが備えられ、該貫通孔１４の他方には前記紐通し孔１３と合致しうる紐通し孔１７を有する拘持部材１８が軸方向に摺動可能に備えられ、手で該拘持部材１８を軸方向にばね１６に抗して押して紐通し孔１３と１７を合致させ、この合わせた紐通し孔１３と１７に紐９を通し、常時はばね１６の押圧力で拘持部材１８が軸方向（右方向）に押されて拘持部材１８の紐通し孔１７が器体１２の紐通し孔１３の軸線より偏位した位置となり紐通し孔１７と１３とのずれにより紐９が拘持されて紐止め具１１が紐に拘持状態とされる。コートを普段着と抱っこ着に変換する際には、手で拘持部材１８をばね１６に抗して軸方向（左方向）に押圧して拘持部材１８の紐通し孔１７を器体１２の紐通し孔１３の軸線に合わせることにより紐９の拘持が解除されて紐の移動が自由となり、普段着とする場合には、紐止め具１１を紐９に沿って押し込んで襟回りの紐の長さを短くして襟回りの前身頃を絞って皺を寄せた状態とし、抱っこ着とする場合には紐止め具１１を紐９の先端側へ引き出して襟回りの紐の長さを長くして前身頃の襟回りを伸ばした状態とする。前記紐止め具はこの構造に限られるものではない。
【００１６】
図１乃至図５に示すフード付き子守用コートは、前身頃２の襟回り５にフード４を一体に設けた場合で、実施形態では襟回り５にその長さとほぼ同じとした頭部に被るフード４を逢着してある。フード４を前身頃２の襟回り５に逢着することにより、普段着の場合に前身頃２の紐９によりフードの襟回りを絞って着用でき、または抱っこ着の場合には襟回りの紐９を伸ばして前身頃を広げて前抱き状態の乳幼児に被せて余裕を持って着用できる。実施形態ではフードを前身頃の襟回りに一体に設けた場合を示したが、これに限られるものではなく、フードを前身頃とは別体として、フードを前身頃の襟回りにボタン、ファスナー等で着脱可能とすることもできる。
【００１７】
また、フード付き子守用コートの前身頃２の裾部２０には、裏面に紐を通す筒状部２１を設け、該筒状部２１に紐２２を挿通して両端を前部開口２３より露出させ、該紐２２の両端の露出部に前記と同様の紐止め具１１が備えられ、前身頃の裾部に設けた筒状部２１の紐２２に対して紐止め具１１を押し込んだり、引き出して裾回りの紐の長さを長短調整するようにし、普段着の場合は裾を絞り、また、前記のように抱っこ着とする場合には、裾も緩めて前身頃に余裕を持たせて着用することができる。筒状部２１は逢着した裾の生地とともに伸縮可能である。実施形態ではコートの裾部にも筒状部を設けて紐を通して、裾を絞りうるようにしてあるが、これに限られるものではなく、裾部はこのような紐で絞る構造を設けないで、前身頃を裾まで広くしておくだけでもよい。
【００１８】
図８に母親等着用者Ａが乳幼児Ｂを身体の前で子守バンドで抱く場合にこの考案の子守用コートを着用する場合を示す。
母親Ａが乳幼児Ｂを子守バンドで前抱きするときには、ファスナーを外して着用する際に、前身頃半体の襟回りの紐９の紐止め具１１の拘持部材１８を手でばね１６に抗して押し込んで紐通し孔１７と１３を合致させて紐９に対して紐止め具１１を自由に移動できるようにして紐止め具１１を紐の先端側に引いて襟回り５を伸ばし、拘持部材１８から手を離すことによりばね１６の付勢力で拘持部材１８を押して紐通し孔１７と１３をずらせて紐止め具１１で紐が拘持され、前身頃２で乳幼児Ｂを覆いファスナー３を閉めて着用する。抱っこ着とするとき、露出する紐の長さが短くなるので、紐の露出部分はそのまま垂れ下げるか、或いは結び目を作ることができれば、適宜結んで垂れ下げる。
乳幼児を抱かないで普段着として使用するときは、広げた前身頃２を縮めるために、前身頃半体の襟回りの紐の紐止め具１１の拘持部材１８を前記と同様に押し込んで紐に対して紐止め具１１を自由に移動できるようにして、図２に示すように、紐止め具１１を紐９の奥の方に襟回りとともに押し込んで前身頃半体の襟回りを絞って縮め、前身頃に皺をよせた状態の普段着に変換し、ファスナー３を閉めて着用する。普段着とする場合絞った紐９の開口８より露出部分が相当長くなるので、適宜結び目を作って垂れ下げるのが好ましい。
コートを普段着又は抱っこ着として着用する際に、前身頃の襟回りの紐の紐止め具の位置を調整するとともに裾回りの紐の紐止め具の位置も調整して前身頃の襟回り、裾回りを適宜広げたり、縮めたりして着用することができる。コートの裾を絞った時は紐が長く露出するので、適宜結び目を作るのが好ましい。コートの裾を紐で絞らない時は、露出する長さが短いので、そのままとするか、短く結んでも良い。このコートは妊婦時にも使用することができる。
【００１９】
この考案は上記実施形態に限定されるものではなく、この考案の要旨を逸脱しない範囲で、種々の形態を実施しうるものである。
【図面の簡単な説明】
【００２０】
【図１】この考案の子守用コートの正面図である。
【図２】普段着状態の斜視図である。
【図３】抱っこ着状態の斜視図である。
【図４】普段着状態の前身頃半体の要部拡大斜視図である。
【図５】抱っこ着状態の前身頃半体の要部拡大斜視図である。
【図６】紐を拘持した状態の紐止め具の拡大断面図である。
【図７】紐を自由とした状態の紐止め具の拡大断面図である。
【図８】乳幼児を前抱き状態で着用した子守用コートの斜視図である。
【符号の説明】
【００２１】
１  コート
２  前身頃
２ａ  前身頃半体
２ｂ  前身頃半体
３  ファスナー
４  フード
５  襟回り
７  肩山
９  紐
１０  筒状部
１１  紐止め具
１２  器体
１３  紐通し孔
１６  ばね
１７  紐通し孔
１８  拘持部材
Ａ  着用者
Ｂ  乳幼児
【図１】
0003104905.tif 000003
【図２】
0003104905.tif 000004
【図３】
0003104905.tif 000005
【図４】
0003104905.tif 000006
【図５】
0003104905.tif 000007
【図６】
0003104905.tif 000008
【図７】
0003104905.tif 000009
【図８】
0003104905.tif 000010